(57)【要約】【課題】  電子目次本機能を利用して選曲を行う際に、利用者にとって適切な時間間隔で自動ページめくりを行う。【解決手段】  各楽曲について、所定時間内のすべての選曲における当該楽曲の選曲割合を取得するための楽曲別選曲割合取得手段５４と、カラオケリモコン装置３２の入出力用表示部に表示される１ページ分の検索結果の楽曲について、その選曲割合の合計値に応じてページ毎の表示時間を設定するための表示時間設定手段５２と、設定されたページ毎の表示時間に基づいて各ページを順次表示させるための自動表示制御手段５３と、を備える。【選択図】  図３
2009169125.tif 000002
【特許請求の範囲】
【請求項１】
利用者が所望する楽曲を検索して表示部に表示し、表示された検索結果の中から特定された楽曲を予約登録するための電子目次本機能を有するカラオケリモコン装置であって、
楽曲別選曲割合取得手段と、表示時間設定手段と、自動表示制御手段と、を備え、
前記楽曲別選曲割合取得手段は、各楽曲について、所定時間内のすべての選曲における当該楽曲の選曲割合を取得し、
前記表示時間設定手段は、表示部に表示される１ページ分の検索結果の楽曲について、その選曲割合の合計値に応じてページ毎の表示時間を設定し、
前記自動表示制御手段は、設定されたページ毎の表示時間に基づいて各ページを順次表示させる、
ことを特徴とする電子目次本機能を有するカラオケリモコン装置。
【請求項２】
選曲者属性情報取得手段をさらに備え、
前記選曲者属性情報取得手段は、現にカラオケシステムを利用している利用者の利用者ＩＤに基づいて属性情報を取得し、
前記楽曲別選曲割合取得手段は、各楽曲について、利用者の属性情報に対応させて、所定時間内のすべての選曲における当該楽曲の選曲割合を取得し、
前記表示時間設定手段は、表示部に表示される１ページ分の検索結果の楽曲について、取得した属性情報のうち、特定された属性情報に対応した選曲割合の合計値に応じてページ毎の表示時間を設定する、
ことを特徴とする請求項１に記載の電子目次本機能を有するカラオケリモコン装置。
【発明の詳細な説明】
【技術分野】
【０００１】
本発明は、電子目次本機能を有するカラオケリモコン装置に関し、さらに詳しくは、複数ページにわたって検索結果を一覧表示する際に、適切な時間間隔で自動ページめくりを行うことが可能なカラオケリモコン装置に関するものである。
【背景技術】
【０００２】
従来、カラオケ利用者が所望の楽曲を選曲する際には、冊子状の目次本を用いて目的の楽曲を探し当て、当該楽曲に付与されている楽曲ＩＤをリモコン装置に入力することにより選曲を行っていたが、近年では、ＧＵＩ機能を備えた電子目次本と称されるリモコン装置を用いて選曲を行うことが一般的となっている。この電子目次本は楽曲の検索機能を備えており、歌手名や楽曲名、リリース年、ジャンル等を入力することにより、液晶表示装置等からなる表示部に検索結果が一覧表示されるようになっている。そして、利用者は、一覧表示された検索結果の中から所望の楽曲を探し当てて選曲指定を行うことにより、冊子状の目次本と比較して容易に目的の楽曲を探し当てることができるという利便性を有している。
【０００３】
ところで、電子目次本を用いて楽曲の検索を行った場合に、検索結果である楽曲数が１ページに収まる楽曲数を超えてしまい、複数ページにわたって検索結果を表示しなければならないことが多々ある。この場合、利用者が所定の操作を行うことにより、所望の楽曲を探し当てるまでページめくりを行うことになり、ページめくり操作が面倒であった。
【０００４】
このようなページめくりにおける不便さは電子目次本だけに限られたものではなく、例えば電子ブックにおいても同様の不都合が生じていた。そこで、電子ブックにおける自動ページめくりに関する技術が開発されている。例えば、読者が１ページを読み取るのに要する所要時間を設定することにより、読者自身に最適なページめくり時間による自動ページめくり間隔を設定するための技術が開示されている（特許文献１参照）。
【０００５】
この特許文献１に記載された技術は、予め読者に読み取られる範囲を設定し、読み取り開始から読み取り終了に至るまでの時間を測定し、これらの範囲及び時間に基づいて当該読者が１ページを読み取る速度を算出して、自動ページめくり間隔を設定するようになっている。
【０００６】
【特許文献１】特開平７−１４１３９８号公報
【発明の開示】
【発明が解決しようとする課題】
【０００７】
しかしながら、上記特許文献１に記載された技術は、自動ページめくりを行わせたい場合に、その都度、利用者によるページめくりの時間をサンプリングする必要がある。このため、ページめくり時間の設定操作が面倒であると共に、設定操作に時間を要することになる。
また、各ページに表示される文字数や、漢字・ひらがな・カタカナ・英字等の文字の種類は、ページ毎に異なっているのが一般的であり、特定のページについてサンプリングを行ったとしても、設定されたページめくり時間がすべてのページについて適切なものであるとは言い切れなかった。
【０００８】
さらに、カラオケ演奏端末に利用される電子目次本の場合には、各ページに表示される楽曲の重要度が異なっている。すなわち、利用者が検索の目的とする楽曲は、一般的に歌唱頻度が高い楽曲である場合が多く、歌唱頻度が低い楽曲と、歌唱頻度が高い楽曲とを同等に扱ってページめくりの時間間隔を設定するのは不合理である。
【０００９】
本発明は、上述した事情に鑑み提案されたもので、電子目次本を利用して選曲を行う際に、利用者にとって適切な時間間隔で自動ページめくりを行うことが可能な電子目次本機能を有するカラオケリモコン装置を提供することを目的とする。
【課題を解決するための手段】
【００１０】
本発明の電子目次本機能を有するカラオケリモコン装置は、上述した目的を達成するために提案されたもので、以下の特徴点を有している。
すなわち、本発明の電子目次本機能を有するカラオケリモコン装置は、利用者が所望する楽曲を検索して表示部に表示し、表示された検索結果の中から特定された楽曲を予約登録するための電子目次本機能を有するカラオケリモコン装置であって、楽曲別選曲割合取得手段と、表示時間設定手段と、自動表示制御手段と、を備えている。
【００１１】
ここで、楽曲別選曲割合取得手段は、各楽曲について、所定時間内のすべての選曲における当該楽曲の選曲割合を取得するための手段である。また、表示時間設定手段は、表示部に表示される１ページ分の検索結果の楽曲について、その選曲割合の合計値に応じてページ毎の表示時間を設定するための手段である。また、自動表示制御手段は、設定されたページ毎の表示時間に基づいて各ページを順次表示させるための手段である。
【００１２】
また、本発明の電子目次本機能を有するカラオケリモコン装置は、上述した構成に加えて、選曲者属性情報取得手段をさらに備えることが可能である。
ここで、選曲者属性情報取得手段は、現にカラオケシステムを利用している利用者の利用者ＩＤに基づいて属性情報を取得するための手段である。なお、利用者（選曲者）の属性情報とは、例えば、利用者（選曲者）の性別、生年月日、居住地域等のことをいう。
【００１３】
この場合、楽曲別選曲割合取得手段は、各楽曲について、利用者の属性情報に対応させて、所定時間内のすべての選曲における当該楽曲の選曲割合を取得するための手段として機能する。また、表示時間設定手段は、表示部に表示される１ページ分の検索結果の楽曲について、取得した属性情報のうち、特定された属性情報に対応した選曲割合の合計値に応じてページ毎の表示時間を設定するための手段として機能する。
【発明の効果】
【００１４】
本発明の電子目次本機能を有するカラオケリモコン装置では、表示部に表示される１ページ分の検索結果の楽曲について、その選曲割合の合計値に応じてページ毎の表示時間を設定し、設定されたページ毎の表示時間に基づいて各ページを順次表示させることができる。このため、表示部に表示される１ページ分の検索結果の楽曲について、歌唱頻度が低い楽曲が多い場合にはページめくりの時間間隔が短くなり、反対に歌唱頻度が高い楽曲が多い場合には、ページめくりの時間間隔が長くなる。
【００１５】
したがって、利用者が検索の目的とする楽曲が含まれている可能性が高いページは、そうでないページと比較して表示時間が長くなるので、利用者はじっくりと当該ページの閲覧を行うことができる。反対に、利用者が検索の目的とする楽曲が含まれていない可能性が高いページは、そうでないページと比較して表示時間が短くなるので、ページめくりが迅速に行われることになる。
このように、本発明の電子目次本機能を有するカラオケリモコン装置によれば、利用者にとって適切な時間間隔で自動ページめくりを行うことが可能となる。
【００１６】
さらに、利用者の属性情報に対応させて、所定時間内のすべての選曲における各楽曲の選曲割合を取得するような構成とした場合には、利用者毎に一層適切な時間間隔で自動ページめくりを行うことが可能となる。
【発明を実施するための最良の形態】
【００１７】
以下、図面を参照して本発明の電子目次本機能を備えたカラオケリモコン装置の実施形態を説明する。
本発明の実施形態に係るカラオケリモコン装置は、利用者が所望する楽曲を検索して表示部に表示し、表示された検索結果の中から特定された楽曲を予約登録するための電子目次本機能を備えている。
【００１８】
＜カラオケシステムの概要＞
図１は、本発明の実施形態に係るカラオケリモコン装置を含むカラオケシステムの構成を示すもので、図１（ａ）は通信ネットワークを用いてカラオケシステムを構成した場合の模式図、図１（ｂ）はホスト装置の概略構成を示すブロック図である。
【００１９】
本発明の実施形態に係るカラオケリモコン装置を含むカラオケシステムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せずに安価な通信網であるという点で、インターネットにより構成されるＶＰＮを利用することが好ましい。
【００２０】
＜ホスト装置／送受信部＞
ホスト装置１１は、図１（ｂ）に示すように、送受信部２１、制御手段２２、データ処理手段２３、楽曲別選曲割合管理テーブル２４、顧客データベース２５を備えている。
送受信部２１は、各カラオケ演奏端末１３との間でデータの送受信を行うための手段であり、通信ネットワーク１２における通信方式の整合性を保つための通信回路やソフトウェアにより構成される。制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２１】
＜データ処理手段／顧客データベース＞
データ処理手段２３は、顧客データベース２５にアクセスして、データの抽出、変更、追加を処理するためのプログラムからなる。顧客データベース２５は、利用者毎に利用者情報が登録されたデータベースである。この顧客データベース２５は、利用者毎に、利用者ＩＤ、氏名、セカンドネーム（例えば愛称）、住所、電話番号、生年月日、性別、職業等が関連付けて構成されている。
【００２２】
＜楽曲別選曲割合管理テーブル＞
図２に、楽曲別選曲割合管理テーブル２４の構成例を示す。楽曲別選曲割合管理テーブル２４は、図２に示すように、楽曲毎に、楽曲ＩＤ、選曲度数、選曲割合が紐付けされて構成される。この楽曲別選曲割合管理テーブル２４は、ホスト装置１１において、各カラオケ演奏端末１３の選曲情報を収集することにより構築されるもので、１週間、隔週、１ヶ月、半年等の適宜間隔で更新される。
【００２３】
＜カラオケ演奏端末／第１の実施形態＞
図３は、本発明の第１の実施形態に係るカラオケリモコン装置を備えたカラオケ演奏端末の構成を示すブロック図である。
カラオケ演奏端末１３は、図３に示すように、カラオケ本体３１、カラオケリモコン装置３２、ミキシングアンプ３３、スピーカ３４、マイクロホン３５、表示手段３６を備えている。カラオケ本体３１と表示手段３６とは、有線方式又は無線方式により接続されている。
【００２４】
＜カラオケリモコン装置＞
カラオケリモコン装置３２は、ユーザインタフェース機能を備えており、カラオケ本体３１のローカル送受信手段４７に対して有線方式又は無線方式によりデータの送受信を行うようになっており、データの送受信を行うための回路基板及びプログラムと、楽曲検索手段５１、表示時間設定手段５２、自動表示制御手段５３、楽曲別選曲割合取得手段５４として機能させるためのプログラムと、一時記憶領域であるフラッシュメモリ（図示せず）とを備えている。さらに、カラオケリモコン装置３２には、楽曲別選曲割合管理テーブル５５及びページ表示時間リスト５６が格納されている。
なお、楽曲別選曲割合管理テーブル５５は、楽曲別選曲割合取得手段５４の機能によりホスト装置１１から取得されたもので、ホスト装置１１に格納された楽曲別選曲割合管理テーブル２４と同等あるいは一部のデータからなる。
ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００２５】
このカラオケリモコン装置３２では、楽曲検索手段５１により電子目次本機能が実現される。すなわち、楽曲検索手段５１により実現される電子目次本機能を用いて、利用者が歌手名や楽曲名、リリース年、ジャンル等を入力すると、入出力用表示部に検索結果が一覧表示されるようになっている。そして、利用者は、一覧表示された検索結果の中から所望の楽曲を探し当てて選曲指定を行うことができる。
【００２６】
電子目次本機能により入出力用表示部に検索結果を一覧表示すると、検索結果である楽曲数が１ページに収まる楽曲数を超えてしまい、複数ページにわたって検索結果を表示しなければならないことがある。この場合には、ページめくりを行って複数ページを表示する必要がある。そこで、本実施形態のカラオケリモコン装置３２は、自動的にページめくりを行うための手段として、表示時間設定手段５２、自動表示制御手段５３、楽曲別選曲割合取得手段５４、楽曲別選曲割合管理テーブル５５、ページ表示時間リスト５６を備えている。
【００２７】
＜表示時間設定手段／自動表示制御手段／楽曲別選曲割合取得手段＞
表示時間設定手段５２は、入出力用表示部に表示される１ページ分の検索結果の楽曲について、その選曲割合の合計値に応じてページ毎の表示時間を設定するためのプログラムからなる。
自動表示制御手段５３は、表示時間設定手段５２で設定されたページ毎の表示時間に基づいて各ページを順次表示させるためのプログラムからなる。
楽曲別選曲割合取得手段５４は、各楽曲について、利用者の属性情報に対応させて、所定時間内のすべての選曲における当該楽曲の選曲割合を取得するためのプログラムからなる。
【００２８】
＜カラオケ本体＞
カラオケ本体３１は、バス４１、ネットワーク送受信手段４２、中央制御手段４３、ＲＯＭ４４、ＲＡＭ４５、ＨＤＤ４６、ローカル送受信手段４７、予約管理手段４８、音楽曲出力手段４９、再生制御手段５０を備えている。なお、ＨＤＤ４６には、楽曲データベース４６ａ、映像データベース４６ｂが格納されている。
【００２９】
＜中央制御手段＞
中央制御手段４３は、カラオケ演奏端末１３を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００３０】
＜ＲＯＭ／ＲＡＭ＞
ＲＯＭ４４は、カラオケ演奏端末１３を構成する各機器を制御するためのアプリケーションプログラムデータや数値データを記憶するための機器で、例えば半導体メモリ等で構成される。また、ＲＡＭ４５は、アプリケーションプログラムや種々のデータを一時的に読み込む一時記憶領域として機能するための機器で、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａが格納されている。
【００３１】
＜ＨＤＤ／楽曲データベース／映像データベース＞
楽曲データベース４６ａ及び映像データベース４６ｂは、大容量記憶装置であるＨＤＤ４６に格納されている。大容量記憶装置としては、ＨＤＤ４６の他に、データを書き替え可能なＤＶＤ等を用いることができる。
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース４６ｂは、演奏される楽曲に対応した背景映像を、当該楽曲の楽曲ＩＤに対応させた映像ファイルとして所定数格納したデータベースである。
【００３２】
＜音楽曲出力手段＞
音楽曲出力手段４９は、楽曲ＩＤに基づいて楽曲データベース４６ａから抽出された演奏データをデジタル再生すると共にアナログ変換してミキシングアンプ３３に出力するための電子回路である。ミキシングアンプ３３は、マイクロホン３５から入力された歌唱者の歌唱音声と、音楽曲出力手段４９から送出される演奏データとをミキシングすると共に、アンプ機能により増幅してスピーカ３４より出力させるための装置である。なお、マイクロホン３５の数は１本に限られず、２本以上であってもよい。
【００３３】
＜再生制御手段＞
再生制御手段５０は、カラオケ演奏中に、楽曲データベース４６ａから抽出された楽曲データのうちの歌詞テロップデータ（歌詞文字データ）を当該楽曲の演奏データに同期させて表示手段３６に出力するための電子回路である。さらに、再生制御手段５０は、カラオケリモコン装置３２を介した利用者からの操作指示による予約楽曲リストの表示等を表示手段３６に表示させる機能も有している。
【００３４】
＜表示手段＞
表示手段３６は、カラオケ演奏時の映像、歌詞テロップ等を表示するための装置で、例えば、ＣＲＴディスプレイ、液晶ディスプレイ、プラズマディスプレイ等により構成される。
【００３５】
＜予約管理手段＞
予約管理手段４８は、利用者によりカラオケリモコン装置３２における楽曲検索手段５１の機能を用いて選曲され、ローカル送受信手段４７を介して送信された当該選曲者の利用者情報（例えば利用者ＩＤ）及び選曲された楽曲ＩＤを対応付けて予約待ち行列４５ａとしてＲＡＭ４５に格納し、管理するためのプログラムである。なお、楽曲選択の表示や予約待ち行列４５ａの表示は、カラオケリモコン装置３２の入出力用表示部及び表示手段３６のいずれか一方、あるいは双方で行うことができる。
【００３６】
＜送受信手段＞
ローカル送受信手段４７は、カラオケリモコン装置３２との間でデータの送受信を行うための電子回路及びプログラムからなる。ネットワーク送受信手段４２は、通信ネットワーク１２を介してホスト装置１１との間でデータの送受信を行う際に、通信ネットワーク１２における通信方式の整合性を保つための電子回路及びプログラムからなる。
【００３７】
＜自動ページめくり＞
次に、第１の実施形態に係るカラオケリモコン装置３２における自動ページめくりについて説明する。図４は、第１の実施形態における自動ページめくりの手順を示すフローチャート、図５は、ページ表示時間リストの説明図、図６は、自動ページめくりを行った際の入出力用表示部の表示例を示す説明図である。
【００３８】
第１の実施形態に係るカラオケリモコン装置３２で自動ページめくりを行うには、図４に示すように、楽曲検索手段５１の機能により楽曲の検索が行われると（Ｓ１）、検索結果としてカラオケリモコン装置３２の入出力用表示部において各ページに表示される各楽曲について、楽曲別選曲割合取得手段５４の機能により楽曲別選曲割合管理テーブル５５を参照し、各楽曲の選曲割合を取得する（Ｓ２）。続いて、表示時間設定手段５２の機能により、ページ毎に表示すべき楽曲の選曲割合の合計値を算出する（Ｓ３）。続いて、表示時間設定手段５２の機能により、ページ表示時間リスト５６を参照し、ページ毎に算出された選曲割合の合計値に対応した表示時間を取得して、当該ページの表示時間として設定する（Ｓ４）。
【００３９】
そして、自動表示制御手段５３の機能により、設定されたページ毎の表示時間に基づいて各ページを順次表示させる（Ｓ５）。続いて、選曲指定が行われた否かを判断し（Ｓ６）、選曲指定が行われると自動ページめくりを終了する。一方、選曲指定が行われない場合には、自動ページめくりを続行する。この場合、最終ページに至り、最終ページに設定された表示時間が経過すると、最初のページに戻って各ページを順次表示させる。
【００４０】
なお、最終ページに至った時点で自動ページめくりが終了するような構成としてもよい。この場合には、最終ページについて表示時間設定を行う必要はない。
本実施形態では、ページ表示時間リスト５６を参照して表示時間を取得している。このページ表示時間リスト５６は、図５に示すように、表示レベルとして、レベル１からレベル５までの５段階のレベルが設定されており、レベル毎に選曲割合の範囲と表示時間との関係が関連付けられている。
【００４１】
なお、ページ表示時間リスト５６を参照して表示時間を取得するのではなく、所定の演算式に基づいて表示時間を算出してもよい。表示時間を算出するための演算式の具体例を以下に示す。
「表示時間」＝０．２×「選曲割合の合計値」＋５．０  ・・・  （表示時間演算式の例）
演算式を用いて表示時間を設定する場合には、例えば選曲割合の合計値が８．１であったとすると、上記演算式から算出される表示時間は、６．６２秒となる。
【００４２】
ページ表示時間リスト５６を参照して行う具体的なページめくりは、図６の上段に示すように、第１ページ目に表示される楽曲に対する選曲割合の合計値が８．１であったとすると、第１ページ目を７．０秒間表示した後、図６の下段に示すように、自動ページめくりが行われて第２ページ目が表示される。そして、第２ページ目に表示される楽曲に対する選曲割合の合計値が３．２であったとすると、第２ページ目を６．０秒間表示した後、自動ページめくりが行われて第３ページ目が表示される。以下、同様の手順により、最終ページに至るまでページめくりが行われる。
【００４３】
＜カラオケ演奏端末／第２の実施形態＞
第２の実施形態に係るカラオケ演奏端末は、上述した第１の実施形態に係るカラオケ演奏端末の構成要素に加えて、利用者ＩＤ取得手段及び選曲者属性情報取得手段を備えている。
第２の実施形態は、第１の実施形態と比較して、カラオケリモコン装置３２により実現される電子目次本機能において、利用者の属性情報に対応した選曲割合の合計値に応じてページ毎の表示時間を設定する点が異なっており、その他の構成要素及びその機能は第１の実施形態と同様となっている。以下、第２の実施形態に特徴的な部分についてのみ説明し、第１の実施形態と同様の構成要素については、同一の符号を付して説明を省略する。図７は、本発明の第２の実施形態に係るカラオケリモコン装置３２を備えたカラオケ演奏端末の構成を示すブロック図である。
【００４４】
第２の実施形態に係るカラオケ演奏端末１３は、図７に示すように、カラオケ本体３１、カラオケリモコン装置３２、ミキシングアンプ３３、スピーカ３４、マイクロホン３５、表示手段３６を備えている。また、カラオケ本体３１は、バス４１、ネットワーク送受信手段４２、中央制御手段４３、ＲＯＭ４４、ＲＡＭ４５、ＨＤＤ４６、ローカル送受信手段４７、予約管理手段４８、音楽曲出力手段４９、再生制御手段５０を備えている。また、カラオケリモコン装置３２は、楽曲検索手段５１、表示時間設定手段５２、自動表示制御手段５３、楽曲別選曲割合取得手段５４、楽曲別選曲割合管理テーブル５５、ページ表示時間リスト５６に加えて、選曲者属性情報取得手段５７及び利用者ＩＤ取得手段５８を備えている。
【００４５】
また、第１の実施形態と同様に、通信ネットワーク１２を介して複数のカラオケ演奏端末１３と相互に接続されたホスト装置１１は、楽曲別選曲割合管理テーブル５５の参照元である楽曲別選曲割合管理テーブル２４を備えている（図１参照）。
【００４６】
＜利用者ＩＤ取得手段＞
利用者ＩＤ取得手段５８は、利用者がカラオケ演奏端末１３にシステムログインする際に、利用者が所持するＩＤ媒体５９から利用者ＩＤを取得するための電子回路及びプログラムからなる。利用者ＩＤ取得手段５８で取得した利用者ＩＤは、ＲＡＭ４５に一時的に記憶される。ＩＤ媒体５９は、例えば、非接触型のＩＣカード、携帯電話、携帯情報端末等からなり、利用者ＩＤを記憶して、利用者ＩＤ取得手段５８との間でデータの送受信を行うことができるようになっている。
【００４７】
＜選曲者属性情報取得手段＞
選曲者属性情報取得手段５７は、選曲を行う利用者の利用者ＩＤに基づいて属性情報を取得するためのプログラムからなる。この選曲者属性情報取得手段５７は、利用者ＩＤ取得手段５８で取得した利用者ＩＤに基づいて、当該利用者が選曲を行う際に、当該利用者の属性情報を取得する。すなわち、選曲者属性情報取得手段５７は、選曲を行う利用者の利用者ＩＤに基づいて顧客データベース２５から選曲者属性情報を取得する。そして、ホスト装置１１の楽曲別選曲割合管理テーブル２４を参照して、選曲者属性情報に対応した楽曲別選曲割合管理テーブル５５を構成し、この楽曲別選曲割合管理テーブル５５及びページ表示時間リスト５６に基づいて自動ページめくりを行うための表示時間の設定が行われる。
【００４８】
なお、利用者ＩＤ取得手段５８から利用者ＩＤを取得し、この利用者ＩＤに基づいて顧客データベース２５から選曲者属性情報を取得するのではなく、選曲者の入力に基づいて選曲者属性情報を取得してもよい。具体的には、図８に示すように、カラオケリモコン装置３２の入出力用表示部に、属性情報入力画面として、性別選択ボタン、年齢入力ボタン、居住地域入力ボタン等の入力エリアを表示し、カラオケリモコン装置３２を操作する利用者が入力エリアに入力したデータに基づいて選曲者属性情報を取得する。
【００４９】
＜楽曲別選曲割合取得手段＞
第２の実施形態の楽曲別選曲割合取得手段５４は、各楽曲について、利用者の属性情報に対応させて、所定時間内のすべての選曲における当該楽曲の選曲割合を取得するようになっている。図９は、楽曲別選曲割合取得手段５４で取得したデータに基づいて構築される楽曲別選曲割合管理テーブル５５の説明図である。
第２の実施形態における楽曲別選曲割合管理テーブル５５は、図９に示すように、利用者の属性に応じて楽曲毎に、楽曲ＩＤ、選曲度数、選曲割合が紐付けされて構成される。図９に示す例では、性別（女性）及び居住地域（東京在住）に応じて楽曲毎に選曲割合を管理しているが、区分基準となる利用者属性は、利用者の性別、生年月日、居住地域や、これらを適宜組み合わせたもの等、どのようなものを用いてもよい。
【００５０】
＜表示時間設定手段＞
第２の実施形態に係る表示時間設定手段５２は、カラオケリモコン装置３２の入出力用表示部に表示される１ページ分の検索結果の楽曲について、取得した利用者の属性情報に対応した選曲割合の合計値に応じてページ毎の表示時間を設定するようになっている。
【００５１】
＜他の実施形態＞
本発明の電子目次本機能を備えたカラオケリモコン装置及びその周辺装置を構成する機器や手段は上述したものに限定されず、カラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５２】
さらに、楽曲別選曲割合管理テーブル２４及び顧客データベース２５をホスト装置１１の構成要素とするのではなく、カラオケ演奏端末１３の構成要素として、ローカルで顧客情報の管理及び楽曲別演奏度数の管理を行ってもよい。
【図面の簡単な説明】
【００５３】
【図１】第１の実施形態に係るカラオケリモコン装置を含むカラオケシステムの概略構成を示すブロック図。
【図２】第１の実施形態に係る楽曲別選曲割合管理テーブルの構成を示す説明図。
【図３】第１の実施形態に係るカラオケ演奏端末の構成を示すブロック図。
【図４】第１の実施形態における自動ページめくりの手順を示すフローチャート。
【図５】ページ表示時間リストの説明図。
【図６】自動ページめくりを行った際の入出力用表示部の表示例を示す説明図。
【図７】第２の実施形態に係るカラオケ演奏端末の構成を示すブロック図。
【図８】属性情報入力画面の説明図。
【図９】第２の実施形態に係る楽曲別選曲割合管理テーブルの説明図。
【符号の説明】
【００５４】
１１  ホスト装置
１２  通信ネットワーク
１３  カラオケ演奏端末
２１  送受信部
２２  制御手段
２３  データ処理手段
２４  楽曲別選曲割合管理テーブル
２５  顧客データベース
３１  カラオケ本体
３２  カラオケリモコン装置
３３  ミキシングアンプ
３４  スピーカ
３５  マイクロホン
３６  表示手段
４１  バス
４２  ネットワーク送受信手段
４３  中央制御手段
４４  ＲＯＭ
４５  ＲＡＭ
４５ａ  予約待ち行列
４６  ＨＤＤ
４６ａ  楽曲データベース
４６ｂ  映像データベース
４７  ローカル送受信手段
４８  予約管理手段
４９  音楽曲出力手段
５０  再生制御手段
５１  楽曲検索手段
５２  表示時間設定手段
５３  自動表示制御手段
５４  楽曲別選曲割合取得手段
５５  楽曲別選曲割合管理テーブル
５６  ページ表示時間リスト
５７  選曲者属性情報取得手段
５８  利用者ＩＤ取得手段
５９  ＩＤ媒体
【図１】
2009169125.tif 000003
【図２】
2009169125.tif 000004
【図３】
2009169125.tif 000005
【図４】
2009169125.tif 000006
【図５】
2009169125.tif 000007
【図６】
2009169125.tif 000008
【図７】
2009169125.tif 000009
【図８】
2009169125.tif 000010
【図９】
2009169125.tif 000011